(57)【要約】【課題】  落ちこぼれた混練材料の回収用コンベアとフィードカッター等のロール作業用アクセサリとを操作性に影響を与えることなく併設可能にするロール混練装置及びそれを使用した混練方法を提供する。【解決手段】  回転速度が互いに異なる一対の第１ロール１１と第２ロール１２の間に混練材料Ｃを投入して混練するロール混練装置１０において、前記第１ロール１１側にロール作業用アクセサリ１４を配設し、前記第２ロール１２側に前記第１ロール１１と前記第２ロール１２の間の下側から前記第２ロール１２に沿って移動する回収用コンベア１３を設け、かつ、前記第１ロール１１と前記第２ロール１２の回転速度の大小関係を変更する切替手段を設けて構成する。【選択図】  図１
2005119099.tif 000002
【特許請求の範囲】
【請求項１】
回転速度が互いに異なる一対の第１ロールと第２ロールの間に混練材料を投入して混練するロール混練装置において、前記第１ロール側にロール作業用アクセサリを配設し、前記第２ロール側に前記第１ロールと前記第２ロールの間の下側から前記第２ロールに沿って移動する回収用コンベアを設け、かつ、前記第１ロールと前記第２ロールの回転速度の大小関係を変更する切替手段を設けたロール混練装置。
【請求項２】
請求項１に記載のロール混練装置を使用し、前記第２ロールの回転速度を前記第１ロールの回転速度よりも高速にして混練材料を該第２ロールに巻き付けて混練操作を行い、該混練操作の終了後、前記切替手段により前記第１ロールの回転速度を前記第２ロールの回転速度よりも高速にして混練材料を該第１ロールに移し替えてロール作業を行うロール混練方法。
【発明の詳細な説明】
【技術分野】
【０００１】
本発明は、ゴム、プラスチック等の材料を混練するロール混練装置及びそれを使用する混練方法に関するものである。
【背景技術】
【０００２】
未硬化のゴム、プラスチック等の可塑性材料に配合剤を添加して混練する手段としてロール混練装置がある。このロール混練装置は、回転速度が異なる一対のロールの間の上部空間に、上記混練材料を投入し、高速回転側のロール外周に混練材料を巻き付けて回転を繰り返しながら混練を行う構成になっている。  
【０００３】
このロール混練装置においては、ロール混練の稼働中に混練材料や配合剤が飛散するため、周囲を汚染したり、混練材料と配合剤との配分比率が変化して、混練製品の物性にバラツキが生じたりする。そのため、図３に示すように、この一対のロール１１，１２の下側を移動すると共に、混練材料Ｃの巻き付け側のロール１１に沿うように移動する「エプロン」と称する回収用コンベア１３を設け、このコンベア１３上にロール１１，１２から落ちこぼれた混練材料Ｃｏと配合剤Ｄｏを受けて、再びロール１１上の混練材料Ｃに付着させるようにしたロール混練装置１０Ｘが多数提案されている（例えば、特許文献１等参照。）。
【０００４】
しかしながら、ロール混練装置１０Ｘの混練操作はバッチ作業であるため、１バッチ毎に混練材料Ｃの投入作業と回収作業を行わなければならない（これをロール作業と称する。）。このロール作業を行うため、ロール混練装置１０Ｘには、フィードカッターやナイフやスクレーパ等のアクセサリ１４が装着されていなければならない。しかし、上記回収用コンベア１３を設けると、これと干渉するため、アクセサリ１４の装着に不具合が生じるという問題があるため、回収用コンベア１３の設置が利点の割には普及していないのが実状である。
【特許文献１】実開平７−３１３２０号公報
【発明の開示】
【発明が解決しようとする課題】
【０００５】
本発明の目的は、落ちこぼれた混練材料の回収用コンベアとフィードカッター等のロール作業用アクセサリとを操作性に影響を与えることなく併設可能にするロール混練装置及びそれを使用した混練方法を提供することにある。
【課題を解決するための手段】
【０００６】
上記目的を達成するための本発明のロール混練装置は、回転速度が互いに異なる一対の第１ロールと第２ロールの間に混練材料を投入して混練するロール混練装置において、前記第１ロール側にロール作業用アクセサリを配設し、前記第２ロール側に前記第１ロールと前記第２ロールの間の下側から前記第２ロールに沿って移動する回収用コンベアを設け、かつ、前記第１ロールと前記第２ロールの回転速度の大小関係を変更する切替手段を設けて構成される。
【０００７】
また、本発明のロール混練方法は、上記のロール混練装置を使用し、前記第２ロールの回転速度を前記第１ロールの回転速度よりも高速にして混練材料を該第２ロールに巻き付けて混練操作を行い、該混練操作の終了後、前記切替手段により前記第１ロールの回転速度を前記第２ロールの回転速度よりも高速にして混練材料を該第１ロールに移し替えてロール作業を行う方法である。
【発明の効果】
【０００８】
本発明のロール混練装置によれば、回収用コンベアをロール作業用アクセサリの反対側の第２ロール側に第１ロールと第２ロールの間の下側から第２ロールに沿って移動し、落ちこぼれた混練材料を第２ロールに戻すように構成しているので、ロール作業用アクセサリを回収用コンベアとの干渉を避けて、容易に取り付けることができる。つまり、回収用コンベアとロール作業用アクセサリを操作性に影響を与えることなく併設できる。
【０００９】
しかも、第１ロールと第２ロールの回転速度の大小関係を変更する切替手段を設けることにより、混練材料を第１ロールにも、また、第２ロールにも巻き付けることができるので、投入作業や回収作業等の作業効率を向上することができる。
【００１０】
また、本発明のロール混練装置を使用したロール混練方法によれば、混練材料への配合剤の投入、混合、分散作業時には、作業者と反対側の第２ロールに混練材料を巻き付けるので、作業者の周囲への混練材料や配合剤の飛散を防止しながら作業でき、作業者がロール作業用アクセサリを使用する作業時には、ロール作業用アクセサリ側の第１ロールに混練材料を巻き付けて、このロール作業用アクセサリを使用しながら効率よく作業を行うことができる。
【発明を実施するための最良の形態】
【００１１】
以下、本発明のロール混練装置及びそれを使用する混練方法について、図に示す実施の形態を参照しながら説明する。
【００１２】
図１及び図２に、本発明の実施の形態のロール混練装置１０を示す。このロール混練装置１０は、作業者Ｍ側の第１ロール（フロントロール）１１と作業者Ｍとは反対側の第２ロール（バックロール）１２からなる一対のロールと、このロール１１，１２の間等から落ちこぼれた混練材料Ｃｏと配合剤Ｄｏを、第２ロール１２側に戻すエプロンと呼ばれる回収用コンベア１３と、第１ロール１１側、即ち、作業者Ｍ側に備えたロール作業用アクセサリ１４を有して構成される。
【００１３】
この第１ロール１１と第２ロール１２は、図示しない駆動機構により回転駆動されると共に、その回転速度、特にその回転速度の大小関係を変更できるように、即ち、第１ロール１１の回転速度と第２ロール１２の回転速度の比であるロール速比を変更する切替手段を設けて構成される。この第１ロール１１と第２ロール１２は、それぞれ独立したモータ等の駆動源で駆動されてもよいが、同一駆動源の回転をギヤやプリーとベルト等によって回転速度を変更可能にしながら伝達して両方のロール１１，１２を駆動するように構成してもよい。いずれにしても、作業内容に応じて、切替手段により、第１ロール１１の回転速度を第２ロール１２の回転速度よりも高速にしたり、逆に、第２ロール１２の回転速度を第１ロール１１の回転速度よりも高速にしたりすることができるように構成する。
【００１４】
また、回収用コンベア１３は、第１ロール１１と第２ロール１２との間の下側から第２ロール１２に沿って移動し、第２ロール１２の下側及び側方を圧接状態で通過する無端ベルト１３ｃを図示しない移動可能な軸芯を持つ支持ロール１３ａ及び駆動ロール１３ｂで支持して構成される。この無端ベルト１３ｃにはゴムベルト等を用いることができ、第２ロール１２の回転に伴って、その外周面の移動速度と同じ速度で移動できるように構成される。
【００１５】
また、ロール作業用アクセサリ１４は、図２に示すように、混練製品Ｃｆを切り出す等のロール作業を行う際に使用するフィードカッター、ナイフ、スクレーパ等であり、作業者Ｍが操作可能な位置に配置される。
【００１６】
そして、この構成によれば、回収用コンベア１３をロール作業用アクセサリ１４と反対側の第２ロール１２側に配設しているので、回収用コンベア１３とロール作業用アクセサリ１４の両者の干渉を回避できる。そのため、ロール作業用アクセサリ１４をその操作性を損なうことなく、このロール混練装置１０に取り付けることができる。
【００１７】
また、切替手段により第１ロール１１と第２ロール１２のロール速比を変更できるので、作業の種類によって作業が行い易い、第１ロール１１と第２ロール１２のいずれかの一方のロールに、混練材料Ｃを巻き付けることができるようになる。
【００１８】
次に、このロール混練装置１０を使用したロール混練方法について説明する。
【００１９】
図１に示すように、連続自動運転による混練材料Ｃへの配合剤Ｄ等の投入作業及び混合作業及び分散作業等時では、このロール混練装置１０において、第１ロール１１と第２ロール１２のロール速比を変更して、第２ロール１２の回転速度を第１ロール１１の回転速度よりも高速にくして、混練材料Ｃを作業者Ｍとは反対側の第２ロール１１に巻き付けて混練操作を行う。
【００２０】
この場合に、落ちこぼれた混練材料Ｃｏと配合剤Ｄｏは直接、第２ロール１２に巻きついた混練材料Ｃに付着するので、効率よく混合できる。また、作業者Ｍと反対側の第２ロール１２で混合作業や分散作業が行われるので、作業者Ｍ側においては落ちこぼれた混練材料Ｃｏや配合剤Ｄｏによる汚染を減少できる。
【００２１】
この混練操作の終了後は、図２に示すように、第１ロール１１と第２ロール１２のロール速比を変更して、第１ロール１１の回転速度を第２ロール１２の回転速度よりも高速にして、混練材料Ｃを作業者Ｍ側の第１ロール１１に巻き付けて、第１ロール１１から第２ロール１２へ移し替えて、作業者Ｍによるロール作業を行う。この場合に、作業者Ｍ側の第１ロール１１に混練材料Ｃを巻き付けるので、効率よく作業できる。
【００２２】
このロール作業は、例えば、混練された混練製品Ｃｆを引き出して、次の工程に送るために、混練製品Ｃｆの両側をロール作業用アクセサリ１４であるフィードカッターを用いて所定の一定幅にカットする等の作業である。
【００２３】
その上、混練材料Ｃを第１ロール１１から第２ロール１２に移し替えるので、一本のロールにのみに混練材料を巻き付けて作業を行う場合に比べて、ロール１１，１２の冷却が期待でき、混練材料Ｃの発熱を抑制できる。
【００２４】
そして、回収用コンベア１３は、いずれの作業時においても、落ちこぼれてくる混練材料Ｃｏや配合剤Ｄｏを回収して、作業者Ｍと反対側の第２ロール１２に戻す。即ち、混練材料Ｃへの配合剤Ｄ等の投入・混合・分散作業時では、図１に示すように、第２ロール１２に巻き付けられた混練材料Ｃに付着させ、また、作業者Ｍによるロール作業時では、図２に示すように、第２ロール１２を介して、第１ロール１１に巻き付けられた混練材料Ｃに付着させる。そのため、混練材料Ｃｏや配合剤Ｄｏが飛散して、周囲を汚染したり、混練材料Ｃと配合剤Ｄの配分比率が変化して、混練製品Ｃｆの物性にバラツキが生じたりするのを防止できる。
【図面の簡単な説明】
【００２５】
【図１】本発明の実施の形態のロール混練装置を示す図で、第２ロール側に混練材料を巻き付けている状態を示す図である。
【図２】図１のロール混練装置において、第１ロール側に混練材料を巻き付けている状態を示す図である。
【図３】従来技術のロール混練装置の一例を示す図である。
【符号の説明】
【００２６】
１０  ロール混練装置
１１  第１ロール
１２  第２ロール
１３  回収用コンベア（エプロン）
１４  ロール作業用アクセサリ
Ｃ  混練材料（コンパウンド）
Ｃｏ  落ちこぼれた混練材料
Ｃｆ  混練製品
Ｄ    配合剤
Ｄｏ  落ちこぼれた配合剤
【図１】
2005119099.tif 000003
【図２】
2005119099.tif 000004
【図３】
2005119099.tif 000005